(57)【要約】【課題】外筒の強度が低下したり、外観が悪くなったりするということがなく、なおかつ係合具が設けられた内筒を回動するという簡単な操作で、長さを調整できること。【解決手段】本発明は、支持具１に、支柱２の上端を取り付け、支柱２の下端には、掛具５を取り付けてある。支柱２は、上部の外筒３と下部の内筒４とから成り、外筒３の内部には取付具１２を取り付け、そこに係止具１０を取り付けて成る。係止具１０に係止部１１・・・１１を設けてある。内筒４の上端部には係合具６を設けて成る。係合具６は、中心に通行孔８を設け、その両側に通過孔９を設けてある。さらに、係合具６の底面には、通行孔８の両側で、通過孔９から９０度変位した位置に凹溝状の係合部７を設けてある。【選択図】図２
2005304786.tif 000002
【特許請求の範囲】
【請求項１】
支持具に取り付けられる支柱が、上部の外筒に対して下部の内筒を上下移動可能に設けられて、長さが調整可能である物干竿等の支持装置において、外筒の内部には、複数の係止部を有する係止具を設けると共に、内筒には、いずれかの係止部に係合する係合部を有する係合具を設けて成り、係合具が設けられた内筒を回動及び上下に移動することによって、係合具の係合部を係止具の係止部に係合・離脱することができるように成し、支柱の長さを調整可能に構成したことを特徴とする物干竿等の支持装置。
【発明の詳細な説明】
【技術分野】
【０００１】
本発明は、ベランダ下の天井面等に取り付けて物干竿等を支持する支持装置であって、支柱の長さを調整可能に構成した物干竿等の支持装置に関するものである。
【背景技術】
【０００２】
従来より、実開昭６３−１２５９９２号考案のように、外筒に案内兼固定のための連続する穴を設け、外筒内部を上下移動する中棒に設けた丸棒を、複数ある固定用の穴のいずれかに固定させるようにして、長さを調整可能にした物干し竿支持具は提案されている。
【特許文献１】実開昭６３−１２５９９２号公報
【発明の開示】
【発明が解決しようとする課題】
【０００３】
上記従来のものにおいては、支柱の長さ調整のために、外筒に案内兼固定のための連続する穴を設けるので、外筒の強度が低下するという問題、外観が悪くなるという問題、穴の切り口に錆びが発生したりそこで怪我をしたりするという問題があり、本発明は、これら問題を解決することを課題としている。
【課題を解決するための手段】
【０００４】
本発明は、上記の課題を解決するために、支持具に取り付けられる支柱が、上部の外筒に対して下部の内筒を上下移動可能に設けられて、長さが調整可能である物干竿等の支持装置において、外筒の内部には、複数の係止部を有する係止具を設けると共に、内筒には、いずれかの係止部に係合する係合部を有する係合具を設けて成り、係合具が設けられた内筒を回動及び上下に移動することによって、係合具の係合部を係止具の係止部に係合・離脱することができるように成し、支柱の長さを調整可能に構成したものである。
【発明の効果】
【０００５】
従って本発明によれば、複数の係止部を設けた係止具を外筒の内部に設け、支柱の長さを調整するための穴が露出することがないので、外筒の強度及び外観が向上し、錆びの発生を抑え、怪我する危険性を低下させることができ、なおかつ、長さ調整のための別の操作具を必要としないので、構造が簡素化され、係合具が設けられた内筒を直接又は間接的に回動及び上下に移動するという簡単な操作で、支柱の長さを調整することができるという効果がある。
【実施例】
【０００６】
本発明の物干竿等の支持装置は、天井等に取り付けられる支持具１に、支柱２の上端を取り付け、支柱２の下端には、物干竿を掛ける複数の竿受孔１３・・・１３を設けた掛具５を取り付けてある。
【０００７】
支柱２は、上部の外筒３と下部の内筒４とから成り、外筒３の内部には、円板状の取付具１２を取り付け、そこに、棒状やパイプ状の長尺の係止具１０を垂下するように取り付けて成る。
係止具１０には、間隔をあけて４ヶ所にピン状のものを両側に突出するように設けて係止部１１・・・１１を設けてある。最下部の係止部１１だけを他の係合部１１・・・１１より長くしてある。
【０００８】
内筒４の上端部には、円柱の上部に鍔部を設けた形状の係合具６を設けて成る。係合具６は、中心に上下に貫通する円形状の通行孔８を設け、その両側に突出するように細長い長方形状で上下に貫通する通過孔９を設けてある。さらに、係合具６の底面には、通行孔８の両側で、通過孔９から９０度変位した位置に凹溝状の係合部７を設けてある。
【０００９】
通過孔９は、最下部の係止部１１の長さよりも短く、他の係止部１１・・・１１の長さよりも長くなっており、この通過孔９を、最下部の係止部１１は通過できないが、他の係止部１１・・・１１は通過できるようになっている。最下部の係止部１１を長くするのは、係合具６の通過孔９がこの係止部１１を通過して内筒４が外筒３から抜け落ちるのを防止するためである。
【００１０】
係合具６に設けられた係合部７が係止具１０のいずれかの係止部１１に係止されている状態（図２の状態）が、使用状態であり、この状態から長さを変更するには、まず掛具５を持って係合具６が設けられた内筒４を少し持ち上げて、係合部７を係止具１０の係止部１１から離脱させる（図３の状態）。
その後内筒４を９０度回動させ、係合具６の通過孔９を係止具１０の係止部１１の角度と合致させる（図４の状態）。すると、最下部の係止部１１以外の係止部１１・・・１１は、この通過孔９を通過できる状態（図５の状態）になるので、係合具６が設けられた内筒４を上又は下に移動させ、他の係止部１１の位置で、内筒４を９０度回動させて下に移動すれば、係合具６の係合部７が他の係止部１１に係止されることになり、支柱２の長さを変更することができる。
【００１１】
なお、本実施例では、係合具６の係合部７が凹部（凹溝）で、係止具１０の係止部１１が凸部（ピン）になって凹凸係合しているが、その凹凸を逆にしてもよいし、その他、係合具６を回動及び上下に移動することによって、係合部７を係止部１１に係合・離脱することができるようになっていればよい。
【図面の簡単な説明】
【００１２】
【図１】全体正面図である。
【図２】使用状態を示す一部を切り欠いた状態の要部の斜視図である。
【図３】図２の状態から内筒を持ち上げた状態の一部を切り欠いた状態の要部の斜視図である。
【図４】図３の状態から内筒を９０度回動させた状態の一部を切り欠いた状態の要部の斜視図である。
【図５】図４の状態から内筒を下に移動して係合具の通過孔が係止部を通過している状態の一部を切り欠いた状態の要部の斜視図である。
【図６】図２のＡ−Ａ線拡大断面図である。
【図７】図２のＢ−Ｂ線拡大断面図である。
【図８】係合具の中央を断面にした斜視図である。
【符号の説明】
【００１３】
１    支持具
２    支柱
３    外筒
４    内筒
６    係合具
７    係合部
１０    係止具
１１    係止部
【図１】
2005304786.tif 000003
【図２】
2005304786.tif 000004
【図３】
2005304786.tif 000005
【図４】
2005304786.tif 000006
【図５】
2005304786.tif 000007
【図６】
2005304786.tif 000008
【図７】
2005304786.tif 000009
【図８】
2005304786.tif 000010